(57)【要約】【課題】光拡散シートを振動板としているスピーカにおいて、光拡散性を向上すること。【解決手段】  振動板１８の光拡散パターンが、中実の微小な三角錐２６ａ、２６ｂを互い違い状に隣合わせに配置した光拡散パターンであることから、振動板１８の裏面の多色ＬＥＤ１７から発せられ振動板１８に入射し、これを透過して三角錐２６ａ、２６ｂの各側面から放射される際に、光拡散パターン（角錐２６ａ、２６ｂ）のレンズ作用で十分に拡散されるのみならず、三角錐２６ａ、２６ｂの各側面から放射された光が隣接の三角錐２６ａ、２６ｂに入射し、そこで反射され或いは屈折されるので、最終的に放射される光の進路がきわめてランダムになり、光の拡散性が高まるという効果を奏する。【選択図】図２
2009164896.tif 000002
【特許請求の範囲】
【請求項１】
光を透過させる合成樹脂製であり、
底面から頂部へと前記底面から離れるに従って前記底面に平行な断面の面積が小さくなる形状の微小立体を互いに隣合わせに配置した光拡散パターンがシートの片面に設けてある
ことを特徴とする
スピーカの振動板用の光拡散シート。
【請求項２】
前記微小立体は、角錐、円錐、角錐台、円錐台のいずれかである
ことを特徴とする請求項１記載のスピーカの振動板用の光拡散シート。
【請求項３】
請求項１又は２に記載の光拡散シートを成形してなるスピーカの振動板。
【請求項４】
請求項３に記載の振動板と、
該振動板の背後に配されたＬＥＤと
を備えることを特徴とするスピーカ。
【発明の詳細な説明】
【技術分野】
【０００１】
本発明は、スピーカの技術分野に属する。
【背景技術】
【０００２】
透光性の合成樹脂製で片面に光拡散パターンが設けられた振動板と、この振動板の背後に配置されたＬＥＤとを備えたスピーカが知られている（例えば特開２００７−２５９２４４号公報）。
【特許文献１】特開２００７−２５９２４４号公報
【特許文献２】特開２００５−２５２４２４号公報
【発明の開示】
【発明が解決しようとする課題】
【０００３】
特許文献１に開示されているスピーカの振動板に設けられた光拡散パターンは、凸条又は凹条を平行に配置、格子状に配置、同心円状に配置する等によって形成されていた。
また、特許文献２には、中空の微小な角錐を連続的に繋げて配置した光拡散パターンが開示されている。
【０００４】
本発明は光拡散性をさらに良好にしたスピーカの振動板用の光拡散シート、これを用いたスピーカの振動板及びこの振動板を用いたスピーカを提案するものである。
【課題を解決するための手段】
【０００５】
請求項１記載のスピーカの振動板用の光拡散シートは、光を透過させる合成樹脂製であり、底面から頂部へと前記底面から離れるに従って前記底面に平行な断面の面積が小さくなる形状の微小立体を互いに隣合わせに配置した光拡散パターンがシートの片面に設けてあることを特徴とする。
【０００６】
請求項２記載のスピーカの振動板用の光拡散シートは、 前記微小立体は、角錐、円錐、角錐台、円錐台のいずれかであることを特徴とする請求項１記載のスピーカの振動板用の光拡散シートである。
【０００７】
請求項３記載のスピーカの振動板は、請求項１又は２に記載の光拡散シートを成形してなるスピーカの振動板である。
請求項４記載のスピーカは、請求項３に記載の振動板と、該振動板の背後に配されたＬＥＤとを備えることを特徴とするスピーカである。
【発明を実施するための最良の形態】
【０００８】
次に、本発明の実施例等により発明の実施の形態を説明する。なお、本発明は下記の実施例等に限定されるものではなく、本発明の要旨を逸脱しない範囲でさまざまに実施できることは言うまでもない。
［実施例］
（光拡散シート）
図１に示すように、本実施例の光拡散シート２５には、微小立体である三角錐２６ａ、２６ｂを互い違い状に隣合わせに配置した光拡散パターンが設けてある。
【０００９】
詳細を図２に示すが、光拡散シート２５の片面２５ａは平坦面であり、三角錐２６ａ、２６ｂによる凹凸構造は他方の面に設けられている。
三角錐２６ａ、２６ｂと光拡散シート２５の基板部２５ｂとに境界は無いのであるが、三角錐２６ａ、２６ｂの底面に相当する面を境界面として想定すれば、光拡散シート２５は、平板なシート（基板部２５ｂ）の上面に多数の三角錐２６ａ、２６ｂを載せ置いた構造をしている。
【００１０】
言うまでもないが、三角錐２６ａ、２６ｂは中実であり、２等辺三角形である底面から頂部へと底面から離れるに従って底面に平行な断面の面積が小さくなる形状をしている。
微小立体としては、底面が２等辺三角形以外の（例えば正三角形の）三角錐、４角錐、６角錐などの角錐、これらの角錐台、円錐、円錐台等が例示される。或いは半円、縦断面の輪郭が放物線となる立体等であってもよい。
【００１１】
微小立体の高さ（基板部２５ｂからの立ち上がり）は０．２５ｍｍ以下（好ましくは０．１ｍｍ以下）、底面の寸法は、角錐又は角錐台の場合には１辺が０．１ｍｍ以上１．０ｍｍ以下（好ましくは０．１３ｍｍ以上０．５ｍｍ以下）、円錐又は円錐台の場合には直径が０．１ｍｍ以上１．０ｍｍ以下（好ましくは０．１３ｍｍ以上０．５ｍｍ以下）が推奨される。
【００１２】
光拡散シート２５の素材、すなわち光を透過させる合成樹脂としては、ポリカーボネート、ポリエチレンテレフタレート、アクリル、ポリプロピレン、ポリエチレン、ポリ塩化ビニル等が例示される。これらの中ではポリカーボネート、ポリエチレンテレフタレート、アクリルが本発明に適している。
【００１３】
なお、光拡散パターンは、上に例示した合成樹脂製シートにプレス加工して設けることができるが、他の加工方法を用いてもよい。
（スピーカ）
図３に示すように、本実施例のスピーカ１は、骨格となるフレーム３にて各部を支持する構成である。また、フレーム３の前端部は正方形のフランジ４とされており、フランジ４に設けられた穴５を使用してスピーカ１を固定できる。本実施例のスピーカ１は例えば遊技機の前枠等に取り付けて使用されるが、用途はこれに限るわけではなく、汎用できる。
【００１４】
フレーム３の後壁７は壁孔９を有する円盤状であり、その背面７ａにはマグネット１０が取り付けられている。マグネット１０の中心孔１１は壁孔９と同軸で、図示するとおり一連になっている。
【００１５】
その壁孔９及び中心孔１１を貫通してボビン１３が配されている。ボビン１３の外周には、マグネット１０の中心孔１１と対面状にボイスコイル１２が巻回されている。
また、ボビン１３の外周にはダンパ１４の内周部が連結され、ダンパ１４の外周部は後壁７の前面７ｂに固定されている。すなわち、ボビン１３はダンパ１４を介してフレーム３（後壁７）に支持されており、壁孔９及び中心孔１１と同軸、且つこれらとは非接触で、その軸方向に変位可能である。
【００１６】
また、後壁７の前面７ｂには、ダンパ１４の外周に沿った環状のプリント基板１５が取り付けられている。このプリント基板１５には、複数（本実施例では１２個）の多色ＬＥＤ１７が等間隔で実装されている。
【００１７】
ボビン１３の前端には振動板１８の後端部が連結されている。振動板１８は上述した光拡散シート２５をコーン状に成形したもので、振動板１８はエッジ１９の外周部がリング２１にてフレーム３に固定されている。また、振動板１８の内側には、ボビン１３の開口を覆うためのセンターキャップ２２が取り付けられている。
【００１８】
こうした構造であるから、ボイスコイル１２に信号電流を流せば、ボイスコイル１２が巻かれたボビン１３を介して振動板１８を振動させて、音声を発生させることができる。
また、振動板１８には図１、図２に示す光拡散パターンが設けられている。 このため、多色ＬＥＤ１７を点灯すると、それらから発せられた光は振動板１８に設けられた光拡散パターンによって拡散させられて放射される。従って、振動板１８のほぼ全域を発光による装飾効果のために利用できる。
【００１９】
また、振動板１８は光拡散パターンが設けられた光拡散シート２５をコーン形状に成形したものであるから、その成形に伴って光拡散パターンにひずみが生じている。このひずみがあるために、例えば振動板１８の中心部（ボビン１３側）と外周部（エッジ１９側）とで輝度が変化する等、光拡散パターンが設けられた平坦なシートに光を照射したときに比べて、拡散のパターンが変化に富んだものになっている。
【００２０】
多色ＬＥＤ１７から出た光が振動板１８を透過する際に拡散されるので、振動板１８の発光面積に対して多色ＬＥＤ１７の数が少なくても、振動板１８の全面を光らせることができる。
【００２１】
振動板１８の光拡散パターンが、中実の微小な三角錐２６ａ、２６ｂを互い違い状に隣合わせに配置した光拡散パターンであることから、振動板１８の裏面の多色ＬＥＤ１７から発せられ振動板１８に入射し、これを透過して三角錐２６ａ、２６ｂの各側面から放射される際に、光拡散パターン（角錐２６ａ、２６ｂ）のレンズ作用で十分に拡散されるのみならず、三角錐２６ａ、２６ｂの各側面から放射された光が隣接の三角錐２６ａ、２６ｂに入射し、そこで反射され或いは屈折されるので、最終的に放射される光の進路がきわめてランダムになり、光の拡散性が高まるという効果を奏する。
【００２２】
一方、特許文献２のように、中空の微小な角錐の底部を振動板上に開口させて設けている構成であると、中空の角錐の内面から放射された光が開口から出てしまうので、最終的に放射される光の進路のランダム性において本発明に劣る。
【００２３】
また、特許文献１のように、凸条又は凹条にて光拡散パターンを形成するのも、最終的に放射される光の進路のランダム性において本発明に劣る。
多色ＬＥＤ１７が、ボイスコイル１２を支持するダンパ１４の外周に沿って配置されているが、後壁７の前面７ｂ内でプリント基板が占める部分（ダンパ１４の外側になる部分）は従来のスピーカにおいては使用されていなかった部分であるから、多色ＬＥＤ１７（プリント基板１５）をスピーカ１に装備するために新規なスペースを創出する必要がなく、スピーカ１は大型化しない。
【図面の簡単な説明】
【００２４】
【図１】実施例の光拡散シートの平面図。
【図２】実施例の光拡散シートの一部を拡大した平面図（ａ）、Ａ−Ａ断面図（ｂ）、Ｂ−Ｂ断面図（ｃ）、単位三角錐の平面図（ｄ）、光路の説明図（ｅ）。
【図３】実施例のスピーカの正面図（ａ）、縦断面図（ｂ）、側面図（ｃ）及び背面図（ｄ）。
【符号の説明】
【００２５】
１・・・スピーカ、
３・・・フレーム、
７・・・後壁、
１０・・・マグネット、
１２・・・ボイスコイル、
１３・・・ボビン、
１４・・・ダンパ、
１５・・・プリント基板、
１７・・・多色ＬＥＤ、
１８・・・振動板、
２２・・・センターキャップ、
２５・・・光拡散シート、
２６ａ、２６ｂ・・・三角錐（微小立体）。
【図１】
2009164896.tif 000003
【図２】
2009164896.tif 000004
【図３】
2009164896.tif 000005